(57)【要約】【課題】左右側面開口部を閉塞するパネルを固定するためのネジの頭がパネルの外側に突出せず、また、パネルが外側から外されることがない防犯性の高い機器収納用箱体を提供する。【解決手段】パネル１４の長手方向の一方の端縁部の内側面の適宜箇所にスタッドボルト１４ａを垂設し、他方の端縁部の内側面にパネル１４の長手方向の一方端から他方端に亘る長さの段曲げ加工した係合部材１４ｂを固定する。また、箱体本体１２の左右側面開口部１２ｂの周縁部に挿通孔１２ｃを穿設し、パネル１４の係合部材１４ｂを左右側面開口部１２ｂの一方の端縁部に係合させた後、箱体本体１２の挿通孔１２ｃにパネル１４のスタッドボルト１４ａを外側から挿通させて箱体本体１２の内側から蝶ナット１５で締め付けてパネル１４を着脱可能に固定する。【選択図】図４
2006294708.tif 000002
【特許請求の範囲】
【請求項１】
箱体本体の内部に各種機器を収納し、前記箱体本体の左右側面に左右側面開口部を形成し、該左右側面開口部をパネルで閉塞して成る機器収納用箱体において、前記パネルの端縁部の内側面の適宜箇所にスタッドボルトを垂設し、該スタッドボルトを前記箱体本体の左右側面に形成した挿通孔に挿通させて前記箱体本体の内側からナットで締め付けて前記パネルを着脱可能に固定したことを特徴とする機器収納用箱体。
【請求項２】
前記ナットが蝶ナットであることを特徴とする請求項１に記載の機器収納用箱体。
【請求項３】
前記パネルの一方の端縁部の内側面に前記スタッドボルトを垂設し、他方の端縁部の内側面に段曲げ加工した係合部材を固定し、該係合部材を前記左右側面開口部の一方の端縁部に係合させるとともに前記スタッドボルトを前記挿通孔に挿通させて前記箱体本体の内側からナットで締め付けて前記パネルを着脱可能に固定したことを特徴とする請求項１又は請求項２に記載の機器収納用箱体。
【請求項４】
前記係合部材は前記パネルの長手方向の一方端から他方端に亘る長さに形成したことを特徴とする請求項３に記載の機器収納用箱体。
【請求項５】
前記左右側面開口部の対向する両端側に前記スタッドボルトが挿通する挿通孔を形成したことを特徴とする請求項４に記載の電気機器収納用箱体。
【請求項６】
前記パネルの係合部材が設けられた側の端縁部を延設して前記挿通孔が隠れるようにしたことを特徴とする請求項５に記載の電気機器収納用箱体。
【発明の詳細な説明】
【技術分野】
【０００１】
本発明は、内部に電気機器や通信機器などの各種機器を収納する機器収納用箱体に関する。
【背景技術】
【０００２】
従来から内部に電気機器や通信機器などの各種機器を収納する機器収納用箱体において、箱体本体の前面と左右側面を開口し、前面開口部を扉体で開閉自在に閉塞し、左右側面開口部をパネルで閉塞するものがある。このような機器収納用箱体は、パネルの端縁部に挿通孔が穿設され、箱体本体の左右側面開口部の周縁部にネジ孔が形成され、パネルの挿通孔に外側から取付ネジを挿通させて箱体本体のネジ孔に螺着することによりパネルを固定していた（例えば、特許文献１参照）。
【０００３】
【特許文献１】特開２００３−８２４８号公報（第１図）
【発明の開示】
【発明が解決しようとする課題】
【０００４】
このため、従来の機器収納用箱体はパネルを外側から外されてしまう虞があるので防犯上好ましくなかった。また、パネルを固定する取付ネジが外側に露出するので外観が損なわれていた。
【課題を解決するための手段】
【０００５】
本発明は、請求項１に記載の発明によれば、箱体本体の内部に各種機器を収納し、箱体本体の左右側面に左右側面開口部を形成し、左右側面開口部をパネルで閉塞して成る機器収納用箱体において、パネルの端縁部の内側面の適宜箇所にスタッドボルトを垂設し、スタッドボルトを箱体本体の左右側面に形成した挿通孔に挿通させて箱体本体の内側からナットで締め付けてパネルを着脱可能に固定したことを特徴とする。
【０００６】
請求項２に記載の発明によれば、請求項１に記載の機器収納用箱体において、ナットが蝶ナットであることを特徴とする。
【０００７】
請求項３に記載の発明によれば、請求項１又は請求項２に記載の機器収納用箱体において、パネルの一方の端縁部の内側面にスタッドボルトを垂設し、他方の端縁部の内側面に段曲げ加工した係合部材を固定し、係合部材を左右側面開口部の一方の端縁部に係合させるとともにスタッドボルトを挿通孔に挿通させて箱体本体の内側からナットで締め付けてパネルを着脱可能に固定したことを特徴とする。
【０００８】
請求項４に記載の発明によれば、請求項３に記載の機器収納用箱体において、係合部材はパネルの長手方向の一方端から他方端に亘る長さに形成したことを特徴とする。
【０００９】
請求項５に記載の発明によれば、請求項４に記載の機器収納用箱体において、左右側面開口部の対向する両端側にスタッドボルトが挿通する挿通孔を形成したことを特徴とする。
【００１０】
請求項６に記載の発明によれば、請求項５に記載の機器収納用箱体において、パネルの係合部材が設けられた側の端縁部を延設して挿通孔が隠れるようにしたことを特徴とする。
【発明の効果】
【００１１】
本発明の請求項１に記載の発明によれば、左右側面開口部を閉塞するパネルが外側から外されることがないので防犯性が向上し、また、パネルの外側にネジの頭が露出しないので外観が向上するという効果がある。
【００１２】
請求項２に記載の発明によれば、請求項１に記載の発明の効果に加えて、工具を使用することなくパネルの固定ができるという効果がある。
【００１３】
請求項３に記載の発明によれば、請求項１又は請求項２に記載の発明の効果に加えて、パネルの着脱が容易にできるという効果がある。
【００１４】
請求項４に記載の発明によれば、請求項３に記載の発明の効果に加えて、パネルの強度が向上して撓みを防止するという効果がある。
【００１５】
請求項５に記載の発明によれば、請求項４に記載の発明の効果に加えて、機器収納用箱体を複数連設する場合に加工することなく容易に連設することができるという効果がある。
【００１６】
請求項６に記載の発明によれば、請求項５に記載の発明の効果に加えて、挿通孔が外側に露出しないので外観を損なうことがないという効果がある。
【発明を実施するための最良の形態】
【００１７】
パネルの長手方向の一方の端縁部の内側面の適宜箇所にスタッドボルトを垂設し、他方の端縁部の内側面にパネルの長手方向の一方端から他方端に亘る長さの段曲げ加工した係合部材を固定する。また、箱体本体の左右側面開口部の周縁部に挿通孔を穿設し、パネルの係合部材を左右側面開口部の一方の端縁部に係合させた後、箱体本体の挿通孔にパネルのスタッドボルトを外側から挿通させて箱体本体の内側から蝶ナットで締め付けてパネルを着脱可能に固定する。
【実施例１】
【００１８】
本発明に係る機器収納用箱体の実施例１を図１〜図３の添付図面に基づいて説明する。
【００１９】
機器収納用箱体１は、図１に示すように前面に前面開口部２ａと左右側面に左右側面開口部２ｂを有する箱体本体２と、この箱体本体２の前面開口部２ａを開閉自在に閉塞する扉体３と、箱体本体２の左右側面開口部２ｂを閉塞するパネル４とで構成し、これらの部材は金属材料により形成されている。
【００２０】
パネル４は長手方向の端縁部の内側面の適宜箇所にスタッドボルト４ａが垂設され、スタッドボルト４ａと対向する箱体本体２の左右側面開口部２ｂの周縁部には挿通孔２ｃが穿設されている。
【００２１】
このように形成された機器収納用箱体１は、図２に示すように箱体本体２の挿通孔２ｃにパネル４のスタッドボルト４ａを外側から挿通させて箱体本体２の内側から蝶ナット５で締め付け固定することによりパネル４が着脱可能に固定される。これにより、工具を用いることなくパネル４の固定が可能であるが、一般的なナットを使用しても勿論良い。
【００２２】
また、複数の機器収納用箱体１を左右方向に連設する場合は、図３に示すように連設する側面のパネル４を取り外した機器収納用箱体１同士を密着させ、一方の機器収納用箱体１の内側から挿通孔２ｃに連結用ボルト６を挿通させて他方の機器収納用箱体１の内側からナット７で締め付け固定することにより連結され、機器収納用箱体１を連設することができる。機器収納用箱体１，１間の配線は左右側面開口部２ｂを通して行うことができる。従って、箱体本体２の左右側面に連結用ボルト６を挿通させるための挿通孔や配線を通線させるための配線通線孔を加工形成する必要がなく、容易に連結が可能である。
【００２３】
尚、本実施例においてはパネル４の長手方向の端縁部にスタッドボルト４ａを垂設したが、パネル５の全周の適宜箇所にスタッドボルト４ａを垂設してパネル４を固定しても良い。
【実施例２】
【００２４】
本発明に係る機器収納用箱体の実施例２を図４〜図６の添付図面に基づいて説明する。
【００２５】
機器収納用箱体１１は、図４に示すように前面に前面開口部１２ａと左右側面に左右側面開口部１２ｂを有する箱体本体１２と、この箱体本体１２の前面開口部１２ａを開閉自在に閉塞する扉体１３と、箱体本体１２の左右側面開口部１２ｂを閉塞するパネル１４とで構成し、これらの部材は金属材料により形成されている。
【００２６】
パネル１４は長手方向の一方の端縁部の内側面の適宜箇所にスタッドボルト１４ａが垂設され、他方の端縁部の内側面にパネル１４の長手方向の一方端から他方端にほぼ亘る長さの段曲げ加工した係合部材１４ｂを溶接して固定している。また、箱体本体１２は左右側面開口部１２ｂの長手方向の両方の周縁部に挿通孔１２ｃが穿設されている。
【００２７】
このように形成された機器収納用箱体１１は、図５に示すようにパネル１４の係合部材１４ｂを左右側面開口部１２ｂの一方の端縁部に係合させた後、箱体本体１２の挿通孔１２ｃにパネル１４のスタッドボルト１４ａを外側から挿通させて箱体本体１２の内側から蝶ナット１５で締め付け固定することによりパネル１４が着脱可能に固定される。これにより、工具を用いることなくパネル１４の固定が可能であるが、一般的なナットを使用しても勿論良い。尚、挿通孔１２ｃは左右側面開口部１２ｂの長手方向の両方の周縁部に形成しているので、パネル１４を上下反転させて取り付けることもでき、箱体本体１２の内部に収納された機器の配置状況や蝶ナット１５の締め付け作業性に応じて箱体本体１２の内側に突出するスタッドボルト１４ａが箱体本体１２の前側になるか奥側になるかを選択してパネル１４を取り付けることが可能である。また、パネル１４の係合部材１４ｂが設けられた側の端縁部を延設して箱体本体１２の挿通孔１２ｃが隠れるようにすることで、外観を損なうことがない。
【００２８】
また、複数の機器収納用箱体１１を左右方向に連設する場合は、図６に示すように連設する側面のパネル１４を取り外した機器収納用箱体１１同士を密着させ、一方の機器収納用箱体１１の内側から挿通孔１２ｃに連結用ボルト１６を挿通させて他方の機器収納用箱体１１の内側からナット１７で締め付け固定することにより連結され、機器収納用箱体１１を連設することができる。機器収納用箱体１１，１１間の配線は左右側面開口部１２ｂを通して行うことができる。従って、箱体本体１２の左右側面に連結用ボルト１６を挿通させるための挿通孔や配線を通線させるための配線通線孔を加工形成する必要がなく、容易に連結が可能である。
【００２９】
尚、本実施例において、左右側面開口部１２ｂの長手方向の両方の周縁部に挿通孔１２ｃを形成しているが、一方の周縁部だけに形成しても良い。しかし、左右側面開口部１２ｂの一方の周縁部だけに挿通孔１２ｃを形成するとパネル１４を上下反転させて固定することができず、また、機器収納用箱体１１を連設する際に連結用ボルト１６を挿通させるために挿通孔を形成する必要がある。
【００３０】
また、係合部材１４ｂはパネル１４の長手方向の一方端から他方端にほぼ亘る長さに形成しているため、パネルの強度が向上して撓みが防止されるが、係合部材１４ｂを分割してパネル１４の上下両端と中央などの適宜箇所に形成しても良い。
【図面の簡単な説明】
【００３１】
【図１】本発明の実施例１に係る機器収納用箱体を示す分解斜視図である。
【図２】本発明の実施例１に係る機器収納用箱体の斜視図である。
【図３】本発明の実施例１に係る機器収納用箱体を連設した状態の斜視図である。
【図４】本発明の実施例２に係る機器収納用箱体を示す分解斜視図である。
【図５】本発明の実施例２に係る機器収納用箱体の斜視図である。
【図６】本発明の実施例２に係る機器収納用箱体を連設した状態の斜視図である。
【符号の説明】
【００３２】
１    機器収納用箱体
２    箱体本体
２ｂ    左右側面開口部
２ｃ    挿通孔
４    パネル
４ａ    スタッドボルト
５    蝶ナット
【図１】
2006294708.tif 000003
【図２】
2006294708.tif 000004
【図３】
2006294708.tif 000005
【図４】
2006294708.tif 000006
【図５】
2006294708.tif 000007
【図６】
2006294708.tif 000008